【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
ハウジングと、
第１ＤＣ信号を第２ＤＣ信号に変換するように構成されていて、第１の一次側スイッチング回路を備えている、ＤＣ−ＤＣ変換回路であって、
前記第１の一次側スイッチング回路は、
変換処理中にハードスイッチングされる炭化ケイ素トランジスタと、
少なくとも１つの主信号経路であって、該少なくとも１つの主信号経路において直列に配置されている１対の並列な炭化ケイ素ダイオードを備える、少なくとも１つの主信号経路と
を備えている、ＤＣ−ＤＣ変換回路と、
前記第２ＤＣ信号を正弦波ＡＣ信号に変換するように構成されていて、前記変換処理中にハードスイッチングされる炭化ケイ素トランジスタを備える第２の一次側スイッチング回路を備えている、インバータと
を備えている、電力変換装置。
【請求項２】
請求項１に記載の電力変換装置であって、
前記電力変換装置は、重量と、１キロワット／キログラムを超えることが可能な出力電力対重量比とを有している、電力変換装置。
【請求項３】
請求項１に記載の電力変換装置であって、
前記電力変換装置は、重量と、約１キロワット／キログラムから３キロワット／キログラムの間を達成可能な出力電力対重量比とを有している、電力変換装置。
【請求項４】
請求項１に記載の電力変換装置であって、
前記第１及び第２の一次側スイッチング回路の双方の前記炭化ケイ素トランジスタのうちの少なくとも２つは、互いに対して並列に、直接結合されている、電力変換装置。
【請求項５】
請求項１に記載の電力変換装置であって、さらに、
ＤＣ−ＤＣ変換中に、前記第１の一次側スイッチング回路の前記炭化ケイ素トランジスタを、７０キロヘルツから１００キロヘルツの間の周波数でオン状態とオフ状態との間でスイッチングするように構成されているコントローラを備えている、電力変換装置。
【請求項６】
請求項１に記載の電力変換装置であって、
ＡＣ−ＤＣ変換中に、前記第２の一次側スイッチング回路の前記炭化ケイ素トランジスタを、３５キロヘルツから６０キロヘルツの間の周波数でオン状態とオフ状態との間でスイッチングするように構成されているコントローラをさらに備えている、電力変換装置。
【請求項７】
請求項１に記載の電力変換装置であって、さらに、
第１コントローラと第２コントローラとを備え、
前記電力変換装置は、重量と、約１キロワット／キログラムから３キロワット／キログラムの間を達成可能な出力電力対重量比とを有し、
前記第１の一次側スイッチング回路及び前記第２の一次側スイッチング回路の双方の前記炭化ケイ素トランジスタのうちの少なくとも２つは、互いに並列に直接結合され、
前記第１コントローラは、ＤＣ−ＤＣ変換中に、前記第１の一次側スイッチング回路の前記炭化ケイ素トランジスタを、７０キロヘルツから１００キロヘルツの間の周波数でオン状態とオフ状態との間でスイッチングするように構成され、
前記第２コントローラは、ＡＣ−ＤＣ変換中に、前記第２の一次側スイッチング回路の前記炭化ケイ素トランジスタを、３５キロヘルツから６０キロヘルツの間の周波数でオン状態とオフ状態との間でスイッチングするように構成されている、電力変換装置。
【請求項８】
入力と出力との間に結合されており、エネルギー貯蔵デバイスと少なくとも１つの直列接続された炭化ケイ素ダイオードとを備えている、少なくとも１つの直列経路と、
前記少なくとも１つの直列経路の各々に対する、シャント回路であって、前記少なくとも１つの直列経路上の点とグラウンドとの間に結合されており、互いに対して並列に、直接結合されている少なくとも２つの炭化ケイ素トランジスタを備えている、シャント回路と、
前記シャント回路をオン状態とオフ状態との間でスイッチングすることにより、前記入力と前記出力との間でＤＣ−ＤＣ変換をもたらすように構成されたコントローラであって、前記ＤＣ−ＤＣ変換中に、前記少なくとも２つの炭化ケイ素トランジスタがオン状態とオフ状態との間でハードスイッチングされる、コントローラと
を備えている、昇圧コンバータ。
【請求項９】
請求項８に記載の昇圧コンバータであって、
前記少なくとも１つの直列接続された炭化ケイ素ダイオードは、互いに並列に、直接結合されている少なくとも２つの炭化ケイ素ダイオードを備えている、昇圧コンバータ。
【請求項１０】
請求項８に記載の昇圧コンバータであって、
前記コントローラは、前記シャント回路を、７０キロヘルツから１００キロヘルツの間の周波数でオン状態とオフ状態との間でスイッチングするように構成されている、昇圧コンバータ。
【請求項１１】
請求項８に記載の昇圧コンバータであって、
前記コントローラは、前記シャント回路を、約７５キロヘルツの周波数でオン状態とオフ状態との間でスイッチングするように構成されている、昇圧コンバータ。
【請求項１２】
請求項８に記載の昇圧コンバータであって、さらに、
プリント回路基板を備え、
前記エネルギー貯蔵デバイスは、前記少なくとも１つの直列経路と前記シャント回路とともに前記プリント回路基板上に搭載された直列インダクタであり、
前記昇圧コンバータは、７キロワット／キログラムを超えることが可能な出力電力対重量比を有している、昇圧コンバータ。
【請求項１３】
請求項８に記載の昇圧コンバータであって、さらに、
プリント回路基板を備え、
前記エネルギー貯蔵デバイスは、前記少なくとも１つの直列経路と前記シャント回路とともに前記プリント回路基板上に搭載された直列インダクタであり、
前記昇圧コンバータは、約７キロワット／キログラムから２１キロワット／キログラムの間を達成可能な出力電力対重量比を有している、昇圧コンバータ。
【請求項１４】
請求項８に記載の昇圧コンバータであって、
前記少なくとも１つの直列経路は、複数の直列経路を備え、前記複数の直列経路の各々は、前記エネルギー貯蔵デバイスとしての直列インダクタを含み、各シャント回路のスイッチングはインターリーブされる、昇圧コンバータ。
【請求項１５】
請求項８に記載の昇圧コンバータであって、
前記少なくとも２つの炭化ケイ素トランジスタは、ＭＯＳＦＥＴである、昇圧コンバータ。
【請求項１６】
請求項８に記載の昇圧コンバータであって、さらに、
プリント回路基板を備え、
前記少なくとも１つの直列接続された炭化ケイ素ダイオードは、互いに並列に、直接結合されている少なくとも２つの炭化ケイ素ダイオードを備え、
前記コントローラは、前記シャント回路を、７０キロヘルツから１００キロヘルツの間の周波数でオン状態とオフ状態との間でスイッチングするように構成され、
前記エネルギー貯蔵デバイスは、前記少なくとも１つの直列経路と前記シャント回路とともに前記プリント回路基板上に搭載された直列インダクタであり、
前記昇圧コンバータは、約７キロワット／キログラムから２１キロワット／キログラムの間を達成可能な出力電力対重量比を有している、昇圧コンバータ。
【請求項１７】
上部線路と、
下部線路と、
第１出力に結合されている第１脚と、
前記第１脚と前記上部線路との間に結合された第１上部主スイッチ、及び、前記第１脚と前記下部線路との間に結合された第１下部主スイッチであって、前記第１上部主スイッチ及び前記第１下部主スイッチはそれぞれ、互いに並列に、直接結合された少なくとも２つの炭化ケイ素トランジスタを備えている、第１上部主スイッチ及び第１下部主スイッチと、
前記第１上部主スイッチと前記第１下部主スイッチとをオン状態とオフ状態との間でスイッチングすることにより、前記上部及び下部線路と前記第１出力との間で第１のＡＣ−ＤＣ変換をもたらすように構成されたコントローラであって、前記第１のＡＣ−ＤＣ変換中に、前記第１上部及び下部主スイッチの前記少なくとも２つの炭化ケイ素トランジスタがオン状態とオフ状態との間でハードスイッチングされる、コントローラと
を備えている、インバータ。
【請求項１８】
請求項１７に記載のインバータであって、
前記第１脚は、１対の直列接続トランジスタと１対の直列接続ダイオードとから形成された双方向補助スイッチを備え、前記直列接続ダイオードの各々は、前記１対の直列接続トランジスタのうちの対応する１つに逆並列に結合されている、インバータ。
【請求項１９】
請求項１７に記載のインバータであって、
前記インバータは、３相インバータであり、
さらに、
第２出力に結合された第２脚と、
前記第２脚と前記上部線路との間に結合された第２上部主スイッチ、及び、前記第２脚と前記下部線路との間に結合された第２下部主スイッチであって、前記第２上部主スイッチ及び前記第２下部主スイッチはそれぞれ、互いに並列に、直接結合された少なくとも２つの炭化ケイ素トランジスタを備えている、第２上部主スイッチ及び第２下部主スイッチと、
第３出力に結合された第３脚と、
前記第３脚と前記上部線路との間に結合された第３上部主スイッチ、及び、前記第３脚と前記下部線路との間に結合された第３下部主スイッチであって、前記第３上部主スイッチ及び前記第３下部主スイッチはそれぞれ、互いに並列に、直接結合された少なくとも２つの炭化ケイ素トランジスタを備えている、第３上部主スイッチ及び第３下部主スイッチと
を備え、
前記コントローラは、さらに、
前記第２上部主スイッチと前記第２下部主スイッチとをオン状態とオフ状態との間でスイッチングすることにより、前記上部及び下部線路と前記第２出力との間で第２のＡＣ−ＤＣ変換をもたらすように構成され、前記第２のＡＣ−ＤＣ変換中に、前記第２上部及び下部主スイッチの前記少なくとも２つの炭化ケイ素トランジスタがオン状態とオフ状態との間でハードスイッチングされ、そして、
前記第３上部主スイッチと前記第３下部主スイッチとをオン状態とオフ状態との間でスイッチングすることにより、前記上部及び下部線路と前記第２出力との間で第３のＡＣ−ＤＣ変換をもたらすように構成され、前記第３のＡＣ−ＤＣ変換中に、前記第２上部及び下部主スイッチの前記少なくとも２つの炭化ケイ素トランジスタがオン状態とオフ状態との間でハードスイッチングされ、前記第１、第２、及び第３出力からの正弦波ＡＣ出力信号が互いに１２０度位相がずれている、インバータ。
【請求項２０】
請求項１９に記載のインバータであって、
前記第１、第２、及び第３脚の各々は、
中間ノードと、前記第１、第２、及び第３出力のうちの対応する１つとの間に延在し、
１対の直列接続トランジスタと１対の直列接続ダイオードとから形成された双方向補助スイッチを備え、
前記直列接続ダイオードの各々は、前記１対の直列接続トランジスタのうちの対応する１つと逆並列に結合されている、インバータ。
【請求項２１】
請求項１７に記載のインバータであって、
前記コントローラは、前記上部及び下部主スイッチを、３５キロヘルツから６０キロヘルツの間の周波数でオン状態とオフ状態との間でスイッチングするように構成されている、インバータ。
【請求項２２】
請求項１７に記載のインバータであって、
前記コントローラは、前記上部及び下部主スイッチを、約５０キロヘルツの周波数でオン状態とオフ状態との間でスイッチングするように構成されている、インバータ。
【請求項２３】
請求項１７に記載のインバータであって、
前記インバータは、Ｔタイプ３相インバータである、インバータ。
【請求項２４】
ハウジングと、第１ＤＣ信号を正弦波ＡＣ信号に変換する回路とを備えている電力変換装置であって、
前記電力変換装置は、重量と、１キロワット／キログラムを超えることが可能な出力電力対重量比とを有している、電力変換装置。
【請求項２５】
請求項２４に記載の電力変換装置であって、
前記電力変換装置は、重量と、約１キロワット／キログラムから３キロワット／キログラムの間を達成可能な出力電力対重量比とを有している、電力変換装置。
【請求項２６】
請求項２５に記載の電力変換装置であって、さらに、
変換処理中にハードスイッチングされる炭化ケイ素トランジスタを有する一次側スイッチング回路を備えている、電力変換装置。
【請求項２７】
請求項２６に記載の電力変換装置であって、
前記一次側スイッチング回路の前記炭化ケイ素トランジスタのうちの少なくとも２つは、互いに並列に、直接結合されている、電力変換装置。
【請求項２８】
請求項２７に記載の電力変換装置であって、さらに、
前記変換処理のうちのＤＣ−ＤＣ変換部分中に、前記一次側スイッチング回路の前記炭化ケイ素トランジスタを、７０キロヘルツから１００キロヘルツの間の周波数でオン状態とオフ状態との間でスイッチングするように構成されたコントローラを備えている、電力変換装置。
【請求項２９】
ハウジングと、
昇圧コンバータ回路であって、
変換処理中にハードスイッチングされる炭化ケイ素トランジスタと、
少なくとも１つの主信号経路であって、該少なくとも１つの主信号経路において直列に配置されている１対の並列な炭化ケイ素ダイオードを備える、少なくとも１つの主信号経路と
を備える昇圧コンバータ回路と、
ＤＣ−ＤＣ変換中に、前記炭化ケイ素トランジスタを、７０キロヘルツから１００キロヘルツの間の周波数でオン状態とオフ状態との間でスイッチングを行うように構成されているコントローラと
を備えている、電力変換装置。
【請求項３０】
請求項２９に記載の電力変換装置であって、さらに、
前記変換処理中にハードスイッチングされる炭化ケイ素トランジスタを備えるインバータ回路を備えている、電力変換装置。
【請求項３１】
請求項３０に記載の電力変換装置であって、さらに、
ＡＣ−ＤＣ変換中に、前記インバータ回路の前記炭化ケイ素トランジスタを、３５キロヘルツから６０キロヘルツの間の周波数でオン状態とオフ状態との間でスイッチングするように構成されているインバータコントローラを備えている、電力変換装置。
【請求項３２】
請求項２９に記載の電力変換装置であって、
前記電力変換装置は、重量と、１キロワット／キログラムを超えることが可能な出力電力対重量比とを有している、電力変換装置。
【請求項３３】
請求項２９に記載の電力変換装置であって、
前記電力変換装置は、重量と、約１キロワット／キログラムから３キロワット／キログラムの間を達成可能な出力電力対重量比とを有している、電力変換装置。
【請求項３４】
請求項２９に記載の電力変換装置であって、
前記炭化ケイ素トランジスタは、ＭＯＳＦＥＴである、電力変換装置。
【請求項３５】
請求項２９に記載の電力変換装置であって、
前記炭化ケイ素トランジスタは、ＩＧＢＴである、電力変換装置。